(57)【要約】【課題】  ユーザの行動範囲に基づきポイント優遇を行う来店促進システムを提供する。【解決手段】  キオスク端末２００はＩＣカード１００のＩＣカード固有ＩＤを読み取り、交通機関サーバ４００に送信する。交通機関サーバ４００はＩＣカード固有ＩＤから定期乗車券区間内の店舗情報を検索し、キオスク端末２００に送信する。キオスク端末２００はポイント数を取得したい店舗を選択し、交通機関サーバ４００に送信する。交通機関サーバ４００はＩＣカード１００のユーザにポイント数を付与する。店舗端末３００はＩＣカード１００のＩＣカード固有ＩＤを読み取り、交通機関サーバ４００にＩＣカード固有ＩＤ，店舗ＩＤ，ユーザの売り上げに応じたポイント数を送信する。交通機関サーバ４００は店舗がユーザの定期乗車券区間内に位置するかを確認し、ＩＣカード１００のユーザに、ユーザの売り上げに応じたポイント数を加算する。【選択図】      図１
2009003688.tif 000002
【特許請求の範囲】
【請求項１】
ＩＣカードに格納されている行動範囲を基に店舗情報記憶部を検索して前記行動範囲内の店舗情報を抽出する手段と、
前記抽出した前記店舗情報の中から選択された前記店舗情報に対応してインセンティブを付与する手段と、を含む、
ことを特徴とする交通機関サーバ。
【請求項２】
前記インセンティブは、ポイント数から成る、
ことを特徴とする請求項１記載の交通機関サーバ。
【請求項３】
前記選択された前記店舗情報に係る店舗での売り上げに応じた前記ポイント数を前記付与した前記ポイント数に加算する手段を含む、
ことを特徴とする請求項２記載の交通機関サーバ。
【請求項４】
前記インセンティブは、クーポン情報から成る、
ことを特徴とする請求項１記載の交通機関サーバ。
【請求項５】
前記行動範囲は、定期乗車券区間から成る、
ことを特徴とする請求項１，２，３または４記載の交通機関サーバ。
【請求項６】
ＩＣカードに格納されている行動範囲を読み取る手段と、
前記行動範囲内の店舗情報を表示して前記店舗情報の中から前記店舗情報を選択する手段と、
前記選択した前記店舗情報に対応して付与されたインセンティブを出力装置に出力する手段と、を含む、
ことを特徴とするキオスク端末。
【請求項７】
前記インセンティブは、ポイント数から成る、
ことを特徴とする請求項６記載のキオスク端末。
【請求項８】
前記インセンティブは、クーポン情報から成る、
ことを特徴とする請求項６記載のキオスク端末。
【請求項９】
前記行動範囲は、定期乗車券区間から成る、
ことを特徴とする請求項６，７または８記載のキオスク端末。
【請求項１０】
売り上げに応じたポイント数を算出する手段と、
前記売り上げに応じたポイント数を加算したポイント合計数を出力装置に出力する手段と、を含む、
ことを特徴とする店舗端末。
【請求項１１】
キオスク端末と交通機関サーバとを含む来店促進システムであって、
前記キオスク端末は、
ＩＣカードに格納されている行動範囲を読み取り、前記行動範囲を前記交通機関サーバに送信する手段と、
前記交通機関サーバから受信した前記行動範囲内の店舗情報を第１出力装置に出力し、前記出力した前記店舗情報の中から前記店舗情報を選択して前記交通機関サーバに送信する手段と、
前記交通機関サーバから受信した前記選択した前記店舗情報に対応して付与されたインセンティブを前記第１出力装置に出力する手段と、を含み、
前記交通機関サーバは、
前記キオスク端末から受信した前記行動範囲を基に店舗情報記憶部を検索し、前記行動範囲内の前記店舗情報を抽出して前記キオスク端末に送信する手段と、
前記キオスク端末から受信した前記選択された前記店舗情報に対応して前記店舗情報記憶部から読み出したインセンティブを付与し、前記付与した前記インセンティブを前記キオスク端末に送信する手段と、を含む、
ことを特徴とする来店促進システム。
【請求項１２】
前記インセンティブは、ポイント数から成る、
ことを特徴とする請求項１１記載の来店促進システム。
【請求項１３】
店舗端末を含み、
前記店舗端末は、
売り上げに応じた前記ポイント数を算出して前記交通機関サーバに送信する手段と、
前記交通機関サーバからポイント合計数を受信して第２出力装置に出力する手段と、を含み、
前記交通機関サーバは、
前記店舗端末から前記売り上げに応じた前記ポイント数を受信し、前記売り上げに応じた前記ポイント数と前記付与した前記ポイント数とを合計して前記ポイント合計数を計算し、前記ポイント合計数をポイント情報記憶部に記憶し、前記ポイント合計数を前記店舗端末に送信する手段を含む、
ことを特徴とする請求項１２記載の来店促進システム。
【請求項１４】
前記インセンティブは、クーポン情報から成る、
ことを特徴とする請求項１１記載の来店促進システム。
【請求項１５】
前記行動範囲は、定期乗車券区間から成る、
ことを特徴とする請求項１１，１２，１３または１４記載の来店促進システム。
【請求項１６】
キオスク端末と交通機関サーバとを含む来店促進システムの来店促進方法であって、
前記キオスク端末は、
ＩＣカードに格納されている行動範囲を読み取り、前記行動範囲を前記交通機関サーバに送信し、
前記交通機関サーバは、
前記キオスク端末から受信した前記行動範囲を基に店舗情報記憶部を検索し、前記行動範囲内の前記店舗情報を抽出して前記キオスク端末に送信し、
前記キオスク端末は、
前記交通機関サーバから受信した前記行動範囲内の店舗情報を第１出力装置に出力し、前記出力した前記店舗情報の中から前記店舗情報を選択して前記交通機関サーバに送信し、
前記交通機関サーバは、
前記キオスク端末から受信した前記選択された前記店舗情報に対応して前記店舗情報記憶部から読み出したインセンティブを付与し、前記付与した前記インセンティブを前記キオスク端末に送信し、
前記キオスク端末は、
前記交通機関サーバから受信した前記選択した前記店舗情報に対応して付与されたインセンティブを前記第１出力装置に出力する、
ことを特徴とする来店促進方法。
【請求項１７】
前記インセンティブは、ポイント数である、
ことを特徴とする請求項１６記載の来店促進方法。
【請求項１８】
前記来店促進システムは店舗端末を含み、
前記店舗端末は、
売り上げに応じた前記ポイント数を算出して前記交通機関サーバに送信し、
前記交通機関サーバは、
前記店舗端末から前記売り上げに応じた前記ポイント数を受信し、前記売り上げに応じた前記ポイント数と前記付与した前記ポイント数とを合計してポイント合計数を計算し、前記ポイント合計数をポイント情報記憶部に記憶し、前記ポイント合計数を前記店舗端末に送信し、
前記店舗端末は、
前記交通機関サーバから前記ポイント合計数を受信して第２出力装置に出力する、
ことを特徴とする請求項１７記載の来店促進方法。
【請求項１９】
前記インセンティブは、クーポン情報である、
ことを特徴とする請求項１６記載の来店促進方法。
【請求項２０】
前記行動範囲は、定期乗車券区間である、
ことを特徴とする請求項１６，１７，１８または１９記載の来店促進方法。
【請求項２１】
交通機関サーバに、
ＩＣカードに格納されている行動範囲を基に店舗情報記憶部を検索して前記行動範囲内の店舗情報を抽出する処理と、
前記抽出した前記店舗情報の中から選択された前記店舗情報に対応してインセンティブを付与する処理と、
を行わせることを特徴とする交通機関サーバ用プログラム。
【請求項２２】
前記インセンティブは、ポイント数から成る、
ことを特徴とする請求項２１記載の交通機関サーバ用プログラム。
【請求項２３】
前記選択された前記店舗情報に係る店舗での売り上げに応じた前記ポイント数を前記付与した前記ポイント数に加算する処理、
を行わせることを特徴とする請求項２２記載の交通機関サーバ用プログラム。
【請求項２４】
前記インセンティブは、クーポン情報から成る、
ことを特徴とする請求項２１記載の交通機関サーバ用プログラム。
【請求項２５】
前記行動範囲は、定期乗車券区間から成る、
ことを特徴とする請求項２１，２２，２３または２４記載の交通機関サーバ用プログラム。
【請求項２６】
キオスク端末に、
ＩＣカードに格納されている行動範囲を読み取る処理と、
前記行動範囲内の店舗情報を表示して前記店舗情報の中から前記店舗情報を選択する処理と、
前記選択した前記店舗情報に対応して付与されたインセンティブを出力装置に出力する処理と、
を行わせることを特徴とするキオスク端末用プログラム。
【請求項２７】
前記インセンティブは、ポイント数から成る、
ことを特徴とする請求項２６記載のキオスク端末用プログラム。
【請求項２８】
前記インセンティブは、クーポン情報から成る、
ことを特徴とする請求項２６記載のキオスク端末用プログラム。
【請求項２９】
前記行動範囲は、定期乗車券区間から成る、
ことを特徴とする請求項２６，２７または２８記載のキオスク端末用プログラム。
【請求項３０】
店舗端末に、
売り上げに応じたポイント数を算出する処理と、
前記売り上げに応じた前記ポイント数を加算したポイント合計数を出力装置に出力する処理と、
を行わせることを特徴とする店舗端末用プログラム。
【発明の詳細な説明】
【技術分野】
【０００１】
本発明は、来店促進システムおよび方法ならびにキオスク端末，店舗端末，交通機関サーバおよびプログラムに関し、特に、ユーザの行動範囲に基づきインセンティブ優遇を行う来店促進システムおよび方法ならびにキオスク端末，店舗端末，交通機関サーバおよびプログラムに関する。
【背景技術】
【０００２】
関連するポイントシステムが特許文献１に開示されている。特許文献１に示すポイントシステムは、記録媒体を内蔵したカードと、カード発行者と、沿線商店と、公共交通機関とを備え、以下のように動作する。
【０００３】
カード発行者は公共交通機関の沿線商店で使用可能なカードを発行する。ユーザがカードを公共交通機関の沿線商店で使用すると、カード発行者は商品代金に応じたポイントを付与し、蓄積ポイントをカードに書き込んでいる。
【０００４】
【特許文献１】特開２００２−１５７３１１号公報
【発明の開示】
【発明が解決しようとする課題】
【０００５】
しかしながら、上述した特許文献１においては、ユーザの来店を促進し、リピート率の向上につながらないという問題点がある。
【０００６】
その理由は、ユーザの行動範囲に着目してユーザの行動範囲内の店舗におけるポイント優遇を行っていないからである。
【０００７】
本発明の目的は、上述した課題を解決する来店促進システムおよび方法ならびにキオスク端末，店舗端末，交通機関サーバおよびプログラムを提供することにある。
【課題を解決するための手段】
【０００８】
本発明の第１の交通機関サーバは、ＩＣカードに格納されている行動範囲を基に店舗情報記憶部を検索して前記行動範囲内の店舗情報を抽出する手段と、前記抽出した前記店舗情報の中から選択された前記店舗情報に対応してインセンティブを付与する手段と、を含む、ことを特徴とする。
【０００９】
本発明の第２の交通機関サーバは、第１の交通機関サーバにおいて、前記インセンティブは、ポイント数から成る、ことを特徴とする。
【００１０】
本発明の第３の交通機関サーバは、第２の交通機関サーバにおいて、前記選択された前記店舗情報に係る店舗での売り上げに応じた前記ポイント数を前記付与した前記ポイント数に加算する手段を含む、ことを特徴とする。
【００１１】
本発明の第４の交通機関サーバは、第１の交通機関サーバにおいて、前記インセンティブは、クーポン情報から成る、ことを特徴とする。
【００１２】
本発明の第５の交通機関サーバは、第１，第２，第３または第４の交通機関サーバにおいて、前記行動範囲は、定期乗車券区間から成る、ことを特徴とする。
【００１３】
本発明の第１のキオスク端末は、ＩＣカードに格納されている行動範囲を読み取る手段と、前記行動範囲内の店舗情報を表示して前記店舗情報の中から前記店舗情報を選択する手段と、前記選択した前記店舗情報に対応して付与されたインセンティブを出力装置に出力する手段と、を含む、ことを特徴とする。
【００１４】
本発明の第２のキオスク端末は、第１のキオスク端末において、前記インセンティブは、ポイント数から成る、ことを特徴とする。
【００１５】
本発明の第３のキオスク端末は、第１のキオスク端末において、前記インセンティブは、クーポン情報から成る、ことを特徴とする。
【００１６】
本発明の第４のキオスク端末は、第１，第２または第３のキオスク端末において、前記行動範囲は、定期乗車券区間から成る、ことを特徴とする。
【００１７】
本発明の第１の店舗端末は、売り上げに応じたポイント数を算出する手段と、前記売り上げに応じたポイント数を加算したポイント合計数を出力装置に出力する手段と、を含む、ことを特徴とする。
【００１８】
本発明の第１の来店促進システムは、キオスク端末と交通機関サーバとを含む来店促進システムであって、前記キオスク端末は、ＩＣカードに格納されている行動範囲を読み取り、前記行動範囲を前記交通機関サーバに送信する手段と、前記交通機関サーバから受信した前記行動範囲内の店舗情報を第１出力装置に出力し、前記出力した前記店舗情報の中から前記店舗情報を選択して前記交通機関サーバに送信する手段と、前記交通機関サーバから受信した前記選択した前記店舗情報に対応して付与されたインセンティブを前記第１出力装置に出力する手段と、を含み、前記交通機関サーバは、前記キオスク端末から受信した前記行動範囲を基に店舗情報記憶部を検索し、前記行動範囲内の前記店舗情報を抽出して前記キオスク端末に送信する手段と、前記キオスク端末から受信した前記選択された前記店舗情報に対応して前記店舗情報記憶部から読み出したインセンティブを付与し、前記付与した前記インセンティブを前記キオスク端末に送信する手段と、を含む、ことを特徴とする。
【００１９】
本発明の第２の来店促進システムは、第１の来店促進システムにおいて、前記インセンティブは、ポイント数から成る、ことを特徴とする。
【００２０】
本発明の第３の来店促進システムは、第２の来店促進システムにおいて、店舗端末を含み、前記店舗端末は、売り上げに応じた前記ポイント数を算出して前記交通機関サーバに送信する手段と、前記交通機関サーバからポイント合計数を受信して第２出力装置に出力する手段と、を含み、前記交通機関サーバは、前記店舗端末から前記売り上げに応じた前記ポイント数を受信し、前記売り上げに応じた前記ポイント数と前記付与した前記ポイント数とを合計して前記ポイント合計数を計算し、前記ポイント合計数をポイント情報記憶部に記憶し、前記ポイント合計数を前記店舗端末に送信する手段を含む、ことを特徴とする。
【００２１】
本発明の第４の来店促進システムは、第１の来店促進システムにおいて、前記インセンティブは、クーポン情報から成る、ことを特徴とする。
【００２２】
本発明の第５の来店促進システムは、第１，第２，第３または第４の来店促進システムにおいて、前記行動範囲は、定期乗車券区間から成る、ことを特徴とする。
【００２３】
本発明の第１の来店促進方法は、キオスク端末と交通機関サーバとを含む来店促進システムの来店促進方法であって、前記キオスク端末は、ＩＣカードに格納されている行動範囲を読み取り、前記行動範囲を前記交通機関サーバに送信し、前記交通機関サーバは、前記キオスク端末から受信した前記行動範囲を基に店舗情報記憶部を検索し、前記行動範囲内の前記店舗情報を抽出して前記キオスク端末に送信し、前記キオスク端末は、前記交通機関サーバから受信した前記行動範囲内の店舗情報を第１出力装置に出力し、前記出力した前記店舗情報の中から前記店舗情報を選択して前記交通機関サーバに送信し、前記交通機関サーバは、前記キオスク端末から受信した前記選択された前記店舗情報に対応して前記店舗情報記憶部から読み出したインセンティブを付与し、前記付与した前記インセンティブを前記キオスク端末に送信し、前記キオスク端末は、前記交通機関サーバから受信した前記選択した前記店舗情報に対応して付与されたインセンティブを前記第１出力装置に出力する、ことを特徴とする。
【００２４】
本発明の第２の来店促進方法は、第１の来店促進方法において、前記インセンティブは、ポイント数である、ことを特徴とする。
【００２５】
本発明の第３の来店促進方法は、第２の来店促進方法において、前記来店促進システムは店舗端末を含み、前記店舗端末は、売り上げに応じた前記ポイント数を算出して前記交通機関サーバに送信し、前記交通機関サーバは、前記店舗端末から前記売り上げに応じた前記ポイント数を受信し、前記売り上げに応じた前記ポイント数と前記付与した前記ポイント数とを合計してポイント合計数を計算し、前記ポイント合計数をポイント情報記憶部に記憶し、前記ポイント合計数を前記店舗端末に送信し、前記店舗端末は、前記交通機関サーバから前記ポイント合計数を受信して第２出力装置に出力する、ことを特徴とする。
【００２６】
本発明の第４の来店促進方法は、第１の来店促進方法において、前記インセンティブは、クーポン情報である、ことを特徴とする。
【００２７】
本発明の第５の来店促進方法は、第１，第２，第３または第４の来店促進方法において、前記行動範囲は、定期乗車券区間である、ことを特徴とする。
【００２８】
本発明の第１の交通機関サーバ用プログラムは、交通機関サーバに、ＩＣカードに格納されている行動範囲を基に店舗情報記憶部を検索して前記行動範囲内の店舗情報を抽出する処理と、前記抽出した前記店舗情報の中から選択された前記店舗情報に対応してインセンティブを付与する処理と、を行わせることを特徴とする。
【００２９】
本発明の第２の交通機関サーバ用プログラムは、第１の交通機関サーバ用プログラムにおいて、前記インセンティブは、ポイント数から成る、ことを特徴とする。
【００３０】
本発明の第３の交通機関サーバ用プログラムは、第２の交通機関サーバ用プログラムにおいて、前記選択された前記店舗情報に係る店舗での売り上げに応じた前記ポイント数を前記付与した前記ポイント数に加算する処理、を行わせることを特徴とする。
【００３１】
本発明の第４の交通機関サーバ用プログラムは、第１の交通機関サーバ用プログラムにおいて、前記インセンティブは、クーポン情報から成る、ことを特徴とする。
【００３２】
本発明の第５の交通機関サーバ用プログラムは、第１，第２，第３または第４の交通機関サーバ用プログラムにおいて、前記行動範囲は、定期乗車券区間から成る、ことを特徴とする。
【００３３】
本発明の第１のキオスク端末用プログラムは、キオスク端末に、ＩＣカードに格納されている行動範囲を読み取る処理と、前記行動範囲内の店舗情報を表示して前記店舗情報の中から前記店舗情報を選択する処理と、前記選択した前記店舗情報に対応して付与されたインセンティブを出力装置に出力する処理と、を行わせることを特徴とする。
【００３４】
本発明の第２のキオスク端末用プログラムは、第１のキオスク端末用プログラムにおいて、前記インセンティブは、ポイント数から成る、ことを特徴とする。
【００３５】
本発明の第３のキオスク端末用プログラムは、第１のキオスク端末用プログラムにおいて、前記インセンティブは、クーポン情報から成る、ことを特徴とする。
【００３６】
本発明の第４のキオスク端末用プログラムは、第１，第２または第３のキオスク端末用プログラムにおいて、前記行動範囲は、定期乗車券区間から成る、ことを特徴とする。
【００３７】
本発明の第１の店舗端末用プログラムは、店舗端末に、売り上げに応じたポイント数を算出する処理と、前記売り上げに応じた前記ポイント数を加算したポイント合計数を出力装置に出力する処理と、を行わせることを特徴とする。
【発明の効果】
【００３８】
本発明は、ユーザの来店を促進し、来店のリピート率を向上できるという効果を有している。
【００３９】
その理由は、交通機関サーバが、ユーザの行動範囲内にある店舗の中で、ユーザが選択した店舗に対応したインセンティブを付与するようにしたためである。
【発明を実施するための最良の形態】
【００４０】
最初に、本発明の特徴について説明する。
【００４１】
本発明は、ユーザの行動範囲（例えば、定期乗車券区間）を基に、その行動範囲内に位置する店舗の中で、ユーザが選択した店舗の情報提供やインセンティブ（例えば、ポイント数，クーポン券等。ただし、これらに、限定されるわけではない）優遇によって、行動範囲内にある店舗への来店を促進することを特徴とする。
【００４２】
以下に、本発明を実施するための最良の形態について説明する。
【００４３】
先ず、本発明の第１の実施の形態の構成について、図面を参照して詳細に説明する。
【００４４】
図１を参照すると、本発明の第１の実施の形態は、ＩＣ(Integrated Circuit)カード１００と、キオスク端末２００と、店舗端末３００と、交通機関サーバ４００と、ネットワーク５００と、を備える。
【００４５】
ＩＣカード１００は、図２に示すように、ＩＣカード情報記憶部１１１を含む。ＩＣカード１００は、ＩＣカード情報記憶部１１１に、例えば、定期乗車券区間，有効期間などを記憶し、定期乗車券として機能する。ユーザは、交通機関サーバ４００により必要な情報を記憶させたＩＣカード１００を、定期乗車券として受け取る。
【００４６】
ＩＣカード情報記憶部１１１は、メモリであり、ＩＣカード固有ＩＤ（識別子），定期乗車券区間，有効期間などを記憶している。ＩＣカード情報記憶部１１１のデータ構造例を図６に示す。
【００４７】
キオスク端末２００は、駅や公共スペース等に設置され各種の情報を表示提供する無人の情報端末であり、ユーザにより操作される。キオスク端末２００は、プログラム制御により動作する情報処理装置であり、図３に示すように、データ処理装置２１０と、入力装置２２０と、出力装置２３０と、ＩＣカード処理装置２４０と、を含む。
【００４８】
データ処理装置２１０は、データ通信手段２１１と、店舗情報要求手段２１２と、ポイント要求手段２１３と、を含む。
【００４９】
データ通信手段２１１は、ネットワーク５００を介して交通機関サーバ４００と情報の送受信を行う。
【００５０】
店舗情報要求手段２１２は、ＩＣカード処理装置２４０から受け取ったＩＣカード固有ＩＤなどをデータ通信手段２１１に送出する。また、店舗情報要求手段２１２は、データ通信手段２１１から受け取った店舗情報一覧を出力装置２３０に送出する。店舗情報一覧は、店舗名，店舗ＩＤ，最寄り駅，店舗情報などを含む。
【００５１】
ポイント要求手段２１３は、入力装置２２０から受け取った情報（店舗ＩＤなど）をデータ通信手段２１１に送出する。また、ポイント要求手段２１３は、データ通信手段２１１から受け取ったポイント設定結果（店舗でポイントサービスが受けられる旨の結果メッセージ）とポイント数を出力装置２３０に送出する。
【００５２】
入力装置２２０は、キーボードやテンキー等の装置であり、ユーザから入力された情報を受け付け、その情報をポイント要求手段２１３に送出する。
【００５３】
出力装置２３０は、ディスプレイやプリンタ等の装置であり、店舗情報要求手段２１２から受け取った情報やポイント要求手段２１３から受け取った情報を出力する。なお、出力装置２３０は、ディスプレイ部とプリンタ部とを備え、必要に応じて使い分けるようにしてもよい。
【００５４】
ＩＣカード処理装置２４０は、ＩＣカード１００からＩＣカード情報記憶部１１１の情報を読み取り、店舗情報要求手段２１２に送出する。
【００５５】
店舗端末３００は、プログラム制御により動作する情報処理装置である。店舗端末３００は、図４に示すように、データ処理装置３１０と、入力装置３２０と、出力装置３３０と、ＩＣカード処理装置３４０と、記憶装置３５０と、を含む。
【００５６】
データ処理装置３１０は、データ通信手段３１１と、ポイント換算要求手段３１２と、を含む。
【００５７】
データ通信手段３１１は、ネットワーク５００を介して交通機関サーバ４００と情報の送受信を行う。
【００５８】
ポイント換算要求手段３１２は、入力装置３２０から受け取った情報（ユーザの売り上げに応じたポイント数），ＩＣカード処理装置３４０から受け取った情報（ＩＣカード固有ＩＤ），店舗情報記憶部３５１から読み取った情報（店舗名など）をデータ通信手段３１１に送出する。また、ポイント換算要求手段３１２は、データ通信手段３１１から受け取ったポイント合計数を出力装置３３０に送出する。
【００５９】
入力装置３２０は、キーボードやテンキー等の装置であり、店舗従業員等から入力された情報を受け付け、その情報をポイント換算要求手段３１２に送出する。
【００６０】
出力装置３３０は、ディスプレイやプリンタ等の装置であり、ポイント換算要求手段３１２から受け取った情報を出力する。なお、出力装置３３０は、ディスプレイ部とプリンタ部とを備え、必要に応じて使い分けるようにしてもよい。
【００６１】
ＩＣカード処理装置３４０は、ＩＣカード１００からＩＣカード情報記憶部１１１の情報を読み取り、ポイント換算要求手段３１２に送出する。
【００６２】
記憶装置３５０は、磁気ディスク装置等であり、店舗情報記憶部３５１を含む。店舗情報記憶部３５１は、例えばデータベースである。
【００６３】
店舗情報記憶部３５１は、店舗名，最寄り駅，ポイント設定値，店舗情報などを記憶している。店舗情報記憶部３５１のデータ構造例を図７に示す。
【００６４】
交通機関サーバ４００は、交通機関を運営する組織体（例えば鉄道会社）により管理され、プログラム制御により動作する情報処理装置である。交通機関を運営する組織体（例えば鉄道会社）は、ユーザにＩＣカード１００を発行する。交通機関サーバ４００は、図５に示すように、データ処理装置４１０と、記憶装置４２０と、を含む。
【００６５】
データ処理装置４１０は、データ通信手段４１１と、店舗情報取得手段４１２と、ポイント設定手段４１３と、ポイント計算手段４１４と、を含む。
【００６６】
データ通信手段４１１は、ネットワーク５００を介してキオスク端末２００および店舗端末３００と情報の送受信を行う。
【００６７】
店舗情報取得手段４１２は、データ通信手段４１１から受け取ったＩＣカード固有ＩＤを用いてユーザ情報記憶部４２１を検索し、定期乗車券区間内の各駅の駅名を取得する。店舗情報取得手段４１２は、取得した駅名で店舗情報記憶部４２２を検索し、取得した駅名を最寄り駅とする店舗の店舗ＩＤ，店舗名，店舗情報等を取得する。店舗情報取得手段４１２は、取得した店舗ＩＤ，店舗名，店舗情報等をデータ通信手段４１１に送出する。
【００６８】
ポイント設定手段４１３は、ポイント情報記憶部４２３を検索し、データ通信手段４１１から受け取ったＩＣカード固有ＩＤ，店舗ＩＤがポイント情報記憶部４２３に登録されていない場合（最初は登録されていない）、ユーザがポイントサービスを受けられるように、ポイント情報記憶部４２３の「ＩＣカード固有ＩＤ」欄と「店舗ＩＤ」欄にデータ通信手段４１１から受け取ったＩＣカード固有ＩＤと店舗ＩＤを登録する。そして、あらかじめ店舗によって設定されているポイント数を付与するために、ポイント設定手段４１３は、店舗情報記憶部４２２の「ポイント設定値」欄から読み出したポイント設定値をポイント情報記憶部４２３の「ポイント合計数」欄に登録する。
【００６９】
ポイント設定手段４１３は、ポイント情報記憶部４２３を検索し、データ通信手段４１１から受け取ったＩＣカード固有ＩＤ，店舗ＩＤがポイント情報記憶部４２３に登録されている場合、ポイント設定手段４１３は、データ通信手段４１１から受け取ったＩＣカード固有ＩＤ，店舗ＩＤを用いて、あらかじめ店舗によって設定されているポイント数を付与する。より具体的には、ポイント設定手段４１３は、店舗情報記憶部４２２の「ポイント設定値」欄からポイント設定値を読み出し、ポイント情報記憶部４２３の「ポイント合計数」欄から読み出したポイント合計数に加算して「ポイント合計数」欄を更新する。
【００７０】
ポイント設定手段４１３は、ポイント設定結果（店舗でポイントサービスが受けられる旨の結果メッセージ）とポイント数（ポイント合計数）をデータ通信手段４１１に送出する。
【００７１】
ポイント計算手段４１４は、データ通信手段４１１から受け取ったＩＣカード固有ＩＤ，店舗名をもとにユーザ情報記憶部４２１，店舗情報記憶部４２２を検索し、定期乗車券区間内に店舗の最寄り駅があるかを確認する。ポイント計算手段４１４は、店舗の最寄り駅が定期乗車券区間内にあるならば、ポイント情報記憶部４２３の「ポイント合計数」欄から読み出したポイント合計数にデータ通信手段４１１から受け取ったユーザの売り上げに応じたポイント数を加算する。ポイント計算手段４１４は、更新したポイント合計数をポイント情報記憶部４２３の「ポイント合計数」欄に書き込む。ポイント計算手段４１４は、更新したポイント合計数をデータ通信手段４１１に送出する。
【００７２】
記憶装置４２０は、磁気ディスク装置等であり、ユーザ情報記憶部４２１と、店舗情報記憶部４２２と、ポイント情報記憶部４２３と、を含む。ユーザ情報記憶部４２１，店舗情報記憶部４２２，ポイント情報記憶部４２３は、例えばデータベースである。
【００７３】
ユーザ情報記憶部４２１は、ＩＣカード固有ＩＤ，定期乗車券区間などを記憶する。ユーザ情報記憶部４２１のデータ構造例を図８に示す。交通機関サーバ４００は、新たにユーザを登録する度に、ユーザ情報レコードを作成してユーザ情報記憶部４２１に登録する。
【００７４】
店舗情報記憶部４２２は、店舗ＩＤ，最寄り駅，ポイント設定値，店舗情報などを記憶する。店舗情報記憶部４２２のデータ構造例を図９に示す。交通機関サーバ４００は、新たに登録する店舗端末３００から店舗に関する情報（店舗情報記憶部３５１に登録されている情報）を取得する度に、店舗情報レコードを作成して店舗情報記憶部４２２に登録する。このとき、交通機関サーバ４００は、店舗に対して店舗ＩＤを設定する。
【００７５】
ポイント情報記憶部４２３は、ＩＣカード固有ＩＤ，店舗ＩＤ，ポイント合計数などを記憶する。ポイント情報記憶部４２３のデータ構造例を図１０に示す。
【００７６】
ネットワーク５００は、キオスク端末２００と、店舗端末３００と、交通機関サーバ４００とを接続する通信網である。ネットワーク５００は、例えばインターネットである。
【００７７】
次に、本発明の第１の実施の形態の動作について、図面を参照して詳細に説明する。
【００７８】
先ず、動作の概略を、図１１を参照して説明する。
（１−１）キオスク端末２００は、ＩＣカード１００の情報（ＩＣカード固有ＩＤなど）を読み取る。
（１−２）キオスク端末２００は、交通機関サーバ４００にＩＣカード固有ＩＤを送信する。
（１−３）交通機関サーバ４００は、ＩＣカード固有ＩＤを基に定期乗車券区間内の店舗情報を検索する。
（１−４）交通機関サーバ４００は、キオスク端末２００に店舗情報を送信する。
（１−５）キオスク端末２００は、店舗情報を出力する。
（１−６）ユーザは、キオスク端末２００に対して出力された店舗情報の中から、詳しく知りたい店舗やポイント数を取得したい店舗を選択する。
（１−７）キオスク端末２００は、選択された店舗ＩＤを交通機関サーバ４００に送信する。
（１−８）交通機関サーバ４００は、ＩＣカード１００のユーザにポイント数を付与する。
（１−９）交通機関サーバ４００は、ポイント設定結果（店舗でポイントサービスが受けられる旨の結果メッセージ）とポイント数をキオスク端末２００に送信する。
（１−１０）キオスク端末２００は、交通機関サーバ４００から受信した情報を出力する。
（１−１１）店舗端末３００は、ＩＣカード１００の情報を読み取る。
（１−１２）店舗端末３００は、交通機関サーバ４００にＩＣカード固有ＩＤ，店舗名，ユーザの売り上げに応じたポイント数を送信する。
（１−１３）交通機関サーバ４００は、ＩＣカード固有ＩＤ，店舗名を基に、店舗がユーザの定期乗車券区間内に位置するかを確認する。
（１−１４）交通機関サーバ４００は、ＩＣカード１００のユーザに対して付与したポイント数にユーザの売り上げに応じたポイント数を加算し、店舗のポイント合計数を算出する。
（１−１５）交通機関サーバ４００は、店舗端末３００にポイント合計数を送信する。
（１−１６）店舗端末３００は、交通機関サーバ４００から受信した情報を出力する。
【００７９】
続いて、図１２〜図１４を参照して、本発明の第１の実施の形態の動作について詳細に説明する。
【００８０】
まず、ユーザは、ユーザのＩＣカード１００をキオスク端末２００のＩＣカード処理装置２４０に挿入する。キオスク端末２００のＩＣカード処理装置２４０は、ＩＣカード１００のＩＣカード情報記憶部１１１からＩＣカード固有ＩＤなどを読み取り、店舗情報要求手段２１２に送出する（ステップＡ１）。
【００８１】
店舗情報要求手段２１２は、ＩＣカード処理装置２４０から受け取ったＩＣカード固有ＩＤなどをデータ通信手段２１１に送出する。データ通信手段２１１は、ＩＣカード固有ＩＤをネットワーク５００を介して交通機関サーバ４００のデータ通信手段４１１に送信する（ステップＡ２）。
【００８２】
店舗情報取得手段４１２は、データ通信手段４１１から受け取ったＩＣカード固有ＩＤを基にユーザ情報記憶部４２１を検索し、ユーザの定期乗車券区間内の各駅の駅名を取得する（ステップＡ３）。
【００８３】
さらに、店舗情報取得手段４１２は、取得した駅名で店舗情報記憶部４２２を検索し、取得した駅名を最寄り駅とする店舗の店舗ＩＤ，店舗名，店舗情報等を抽出する。店舗情報取得手段４１２は、抽出した店舗ＩＤ，店舗名，店舗情報等をデータ通信手段４１１に送出する（ステップＡ４）。
【００８４】
データ通信手段４１１は、抽出した店舗ＩＤ，店舗名，店舗情報等をネットワーク５００を介してキオスク端末２００のデータ通信手段２１１に返信する（ステップＡ５）。
【００８５】
店舗情報要求手段２１２は、データ通信手段２１１から受け取った店舗ＩＤ，店舗名，店舗情報等を出力装置２３０に送出する。出力装置２３０は、店舗ＩＤ，店舗名，店舗情報等（店舗情報一覧）を出力する（ステップＡ６）。
【００８６】
ユーザは、キオスク端末２００の入力装置２２０を用いて、出力された店舗情報一覧の中から、ポイント数を取得したい店舗を１つ以上指定して選択する。入力装置２２０は、ユーザが選択した店舗をポイント要求手段２１３に送出する（ステップＡ７）。
【００８７】
ポイント要求手段２１３は、入力装置２２０から受け取った情報（店舗ＩＤなど）をデータ通信手段２１１に送出する。データ通信手段２１１は、店舗ＩＤなどをネットワーク５００を介して交通機関サーバ４００のデータ通信手段４１１に送信する（ステップＡ８）。
【００８８】
ポイント設定手段４１３は、データ通信手段４１１からＩＣカード固有ＩＤ，店舗ＩＤを受け取る。ポイント設定手段４１３は、店舗ＩＤを用いて店舗情報記憶部４２２を検索し、一致する店舗ＩＤに対応する「ポイント設定値」欄からポイント設定値を読み出す。ポイント設定手段４１３は、ＩＣカード固有ＩＤを用いてポイント情報記憶部４２３を検索し、一致するＩＣカード固有ＩＤに対応する「ポイント合計数」欄からポイント合計数を読み出す。ポイント設定手段４１３は、読み出したポイント合計数に読み出したポイント設定値を加算して「ポイント合計数」欄のポイント合計数を更新する。ポイント設定手段４１３は、ポイント設定結果（店舗でポイントサービスが受けられる旨の結果メッセージ）とポイント数（ポイント合計数）をデータ通信手段４１１に送出する（ステップＡ９）。
【００８９】
データ通信手段４１１は、ポイント設定結果とポイント数をネットワーク５００を介してキオスク端末２００のデータ通信手段２１１に返信する（ステップＡ１０）。
【００９０】
ポイント要求手段２１３は、データ通信手段２１１から受け取ったポイント設定結果とポイント数を出力装置２３０に送出する。出力装置２３０は、ポイント設定結果とポイント数を出力する（ステップＡ１１）。
【００９１】
次に、ユーザは、ユーザのＩＣカード１００を店舗端末３００のＩＣカード処理装置３４０に挿入する。店舗端末３００のＩＣカード処理装置３４０は、ＩＣカード１００のＩＣカード情報記憶部１１１からＩＣカード固有ＩＤを読み取り、ポイント換算要求手段３１２に送出する（ステップＢ１）。
【００９２】
ポイント換算要求手段３１２は、入力装置３２０から受け取った情報（ユーザの売り上げに応じたポイント数），ＩＣカード処理装置３４０から受け取った情報（ＩＣカード固有ＩＤ），店舗情報記憶部３５１から読み取った情報（店舗名）をデータ通信手段３１１に送出する。データ通信手段３１１は、ユーザの売り上げに応じたポイント数とＩＣカード固有ＩＤと店舗名とをネットワーク５００を介して交通機関サーバ４００のデータ通信手段４１１に送信する（ステップＢ２）。
【００９３】
ポイント計算手段４１４は、データ通信手段４１１からユーザの売り上げに応じたポイント数とＩＣカード固有ＩＤと店舗名とを受け取る。ポイント計算手段４１４は、ＩＣカード固有ＩＤを用いてユーザ情報記憶部４２１を検索し、一致したＩＣカード固有ＩＤに対応する定期乗車券区間内の駅名を取得する。ポイント計算手段４１４は、店舗名を用いて店舗情報記憶部４２２を検索し、一致した店舗名に対応する最寄り駅と店舗ＩＤを取得する。ポイント計算手段４１４は、取得した最寄り駅が取得した定期乗車券区間内の駅名に含まれるかを確認する（ステップＢ３）。
【００９４】
ポイント計算手段４１４は、最寄り駅が定期乗車券区間内の駅名に含まれるならば、ＩＣカード固有ＩＤと店舗ＩＤとを用いてポイント情報記憶部４２３を検索し、一致したＩＣカード固有ＩＤと店舗ＩＤとに対応したポイント合計数（前回までのポイント数）を取得する（ステップＢ４）。
【００９５】
ポイント計算手段４１４は、ポイント情報記憶部４２３から取得したポイント合計数（前回までのポイント数）とデータ通信手段４１１から受け取ったユーザの売り上げに応じたポイント数とを加算し、更新したポイント合計数をポイント情報記憶部４２３に記憶する（ステップＢ５）。
【００９６】
ポイント計算手段４１４は、確認結果（店舗の最寄り駅が定期乗車券区間内である旨のメッセージ）とポイント合計数をデータ通信手段４１１に送出する。データ通信手段４１１は、確認結果（店舗の最寄り駅が定期乗車券区間内である旨のメッセージ）とポイント合計数をネットワーク５００を介して店舗端末３００のデータ通信手段３１１に送信する（ステップＢ６）。
【００９７】
ポイント換算要求手段３１２は、データ通信手段３１１から受け取った確認結果とポイント合計数を出力装置３３０に送出する。出力装置３３０は、確認結果とポイント合計数を出力する（ステップＢ７）。
【００９８】
店舗は、ユーザに対し、ポイント合計数に応じて、例えば、ポイント合計数がある閾値を超えた場合に割引券や販促グッズを提供する、或いは、ポイント数分を支払額から差し引くなどの特典を提供する。
【００９９】
次に、本発明の第１の実施の形態の効果について説明する。
【０１００】
第１の効果は、ユーザの来店を促進し、広告効果やリピート率を向上できることである。
【０１０１】
その理由は、交通機関サーバ４００が、ユーザの行動範囲となる定期乗車券区間にある店舗の中で、ユーザが選択した店舗のポイント数を優遇して、ユーザに付与するようにしたためである。交通機関サーバ４００は、店舗を選択したことによるポイント数と、選択した店舗でのユーザの売り上げに応じたポイント数とを加算したポイント数を付与する。
【０１０２】
第２の効果は、ユーザは手間なく、ユーザの行動範囲内の店舗情報を取得できることである。
【０１０３】
その理由は、交通機関サーバ４００が、定期乗車券を基にユーザの行動範囲となる定期乗車券区間にある店舗の店舗情報をキオスク端末２００に提供するようにしたためである。
【０１０４】
次に、本発明の第２の実施の形態について説明する。第２の実施の形態は、ポイント数の替わりにクーポンを付与する形態である。
【０１０５】
先ず、本発明の第２の実施の形態の構成について、図面を参照して詳細に説明する。
【０１０６】
図１５を参照すると、本発明の第２の実施の形態は、ＩＣ(Integrated Circuit)カード１００と、キオスク端末６００と、店舗端末７００と、交通機関サーバ８００と、ネットワーク５００と、を備える。
【０１０７】
第１の実施の形態と異なる要素について説明する。
【０１０８】
キオスク端末６００は、プログラム制御により動作する情報処理装置である。キオスク端末６００は、図１６に示すように、データ処理装置６１０と、入力装置６２０と、出力装置６３０と、ＩＣカード処理装置６４０と、を含む。
【０１０９】
入力装置６２０と、出力装置６３０と、ＩＣカード処理装置６４０とは、第１の実施の形態における入力装置２２０と、出力装置２３０と、ＩＣカード処理装置２４０と同等である。
【０１１０】
データ処理装置６１０は、データ通信手段６１１と、店舗情報要求手段６１２と、クーポン要求手段６１３と、を含む。
【０１１１】
データ通信手段６１１は、データ通信手段２１１と同等である。
【０１１２】
店舗情報要求手段６１２は、店舗情報要求手段２１２と同等である。
【０１１３】
クーポン要求手段６１３は、入力装置６２０から受け取った情報（店舗ＩＤなど）をデータ通信手段６１１に送出する。また、クーポン要求手段６１３は、データ通信手段６１１から受け取ったクーポン設定結果（店舗でクーポンサービスが受けられる旨の結果メッセージ）とクーポン情報を出力装置６３０に送出する。
【０１１４】
入力装置６２０は、キーボードやテンキー等の装置であり、ユーザから入力された情報を受け付け、その情報をクーポン要求手段６１３に送出する。
【０１１５】
出力装置６３０は、ディスプレイやプリンタ等の装置であり、店舗情報要求手段６１２から受け取った情報やクーポン要求手段６１３から受け取った情報（クーポン券等）を出力する。なお、出力装置６３０は、ディスプレイ部とプリンタ部とを備え、必要に応じて使い分けるようにしてもよい。
【０１１６】
ＩＣカード処理装置６４０は、ＩＣカード処理装置２４０と同等である。
【０１１７】
店舗端末７００は、プログラム制御により動作する情報処理装置である。店舗端末７００は、図１７に示すように、データ処理装置７１０と、入力装置７２０と、出力装置７３０と、記憶装置７５０と、を含む。
【０１１８】
データ処理装置７１０は、データ通信手段７１１を含む。
【０１１９】
データ通信手段７１１は、ネットワーク５００を介して情報の送受信を行う。
【０１２０】
入力装置７２０は、キーボードやテンキー等の装置であり、ユーザが情報を入力する。
【０１２１】
出力装置７３０は、ディスプレイやプリンタ等の装置であり、受け取った情報を出力する。
【０１２２】
記憶装置７５０は、磁気ディスク装置等であり、店舗情報記憶部７５１を含む。店舗情報記憶部７５１は、例えばデータベースである。
【０１２３】
店舗情報記憶部７５１は、店舗名，最寄り駅，クーポン情報，店舗情報などを記憶している。
【０１２４】
交通機関サーバ８００は、プログラム制御により動作する情報処理装置である。交通機関サーバ８００は、図１８に示すように、データ処理装置８１０と、記憶装置８２０と、を含む。
【０１２５】
データ処理装置８１０は、データ通信手段８１１と、店舗情報取得手段８１２と、クーポン設定手段８１３と、を含む。
【０１２６】
データ通信手段８１１は、データ通信手段４１１と同等である。
【０１２７】
店舗情報取得手段８１２は、店舗情報取得手段４１２と同等である。
【０１２８】
クーポン設定手段８１３は、データ通信手段８１１から受け取ったＩＣカード固有ＩＤ，店舗ＩＤを用いて店舗情報記憶部８２２を検索し、「クーポン情報」欄からあらかじめ店舗によって設定されているクーポン情報を読み出し、読み出したクーポン情報を付与する。クーポン設定手段８１３は、クーポン設定結果（店舗でクーポンサービスが受けられる旨の結果メッセージ）とクーポン情報をデータ通信手段８１１に送出する。
【０１２９】
記憶装置８２０は、磁気ディスク装置等であり、ユーザ情報記憶部４２１と、店舗情報記憶部８２２と、を含む。ユーザ情報記憶部４２１，店舗情報記憶部８２２は、例えばデータベースである。
【０１３０】
店舗情報記憶部８２２は、店舗ＩＤ，最寄り駅，クーポン情報，店舗情報などを記憶する。店舗情報記憶部８２２のデータ構造例を図１９に示す。交通機関サーバ８００は、新たに登録する店舗端末７００から店舗に関する情報（店舗情報記憶部７５１に登録されている情報）を取得する度に、店舗情報レコードを作成して店舗情報記憶部８２２に登録する。このとき、交通機関サーバ８００は、店舗に対して店舗ＩＤを設定する。
【０１３１】
次に、本発明の第２の実施の形態の動作について、図面を参照して詳細に説明する。
【０１３２】
先ず、動作の概略を、図２０を参照して説明する。
（２−１）キオスク端末６００は、ＩＣカード１００の情報（ＩＣカード固有ＩＤなど）を読み取る。
（２−２）キオスク端末６００は、交通機関サーバ８００にＩＣカード固有ＩＤを送信する。
（２−３）交通機関サーバ８００は、ＩＣカード固有ＩＤを基に定期乗車券区間内の店舗情報を検索する。
（２−４）交通機関サーバ８００は、キオスク端末６００に店舗情報を送信する。
（２−５）キオスク端末６００は、店舗情報を出力する。
（２−６）ユーザは、キオスク端末６００に対して出力された店舗情報の中から、詳しく知りたい店舗やクーポン情報を取得したい店舗を選択する。
（２−７）キオスク端末６００は、選択された店舗ＩＤを交通機関サーバ８００に送信する。
（２−８）交通機関サーバ８００は、ＩＣカード１００のユーザにクーポン情報（例えばクーポン券）を付与する。
（２−９）交通機関サーバ８００は、クーポン設定結果（店舗でクーポンサービスが受けられる旨の結果メッセージ）とクーポン情報をキオスク端末６００に送信する。
（２−１０）キオスク端末６００は、交通機関サーバ８００から受信したクーポン設定結果とクーポン情報を出力装置６３０に出力する。
【０１３３】
ユーザは、キオスク端末６００で出力されたクーポン券を店舗に持ち寄って提示し、店舗からサービスの割引を受ける。
【０１３４】
続いて、図２１を参照して、本発明の第２の実施の形態の動作について詳細に説明する。
【０１３５】
まず、ユーザは、ユーザのＩＣカード１００をキオスク端末６００のＩＣカード処理装置６４０に挿入する。キオスク端末６００のＩＣカード処理装置６４０は、ＩＣカード１００のＩＣカード情報記憶部１１１からＩＣカード固有ＩＤなどを読み取り、店舗情報要求手段６１２に送出する（ステップＣ１）。
【０１３６】
店舗情報要求手段６１２は、ＩＣカード処理装置６４０から受け取ったＩＣカード固有ＩＤなどをデータ通信手段６１１に送出する。データ通信手段６１１は、ＩＣカード固有ＩＤをネットワーク５００を介して交通機関サーバ８００のデータ通信手段８１１に送信する（ステップＣ２）。
【０１３７】
店舗情報取得手段８１２は、データ通信手段８１１から受け取ったＩＣカード固有ＩＤを基にユーザ情報記憶部４２１を検索し、ユーザの定期乗車券区間内の各駅の駅名を取得する（ステップＣ３）。
【０１３８】
さらに、店舗情報取得手段８１２は、取得した駅名で店舗情報記憶部８２２を検索し、取得した駅名を最寄り駅とする店舗の店舗ＩＤ，店舗名，店舗情報等を抽出する。店舗情報取得手段８１２は、抽出した店舗ＩＤ，店舗名，店舗情報等をデータ通信手段８１１に送出する（ステップＣ４）。
【０１３９】
データ通信手段８１１は、抽出した店舗ＩＤ，店舗名，店舗情報等をネットワーク５００を介してキオスク端末６００のデータ通信手段６１１に返信する（ステップＣ５）。
【０１４０】
店舗情報要求手段６１２は、データ通信手段６１１から受け取った店舗ＩＤ，店舗名，店舗情報等を出力装置６３０に送出する。出力装置６３０は、店舗ＩＤ，店舗名，店舗情報等（店舗情報一覧）を出力する（ステップＣ６）。
【０１４１】
ユーザは、キオスク端末６００の入力装置６２０を用いて、出力された店舗情報一覧の中から、クーポン情報を取得したい店舗を１つ以上指定して選択する。入力装置６２０は、ユーザが選択した店舗をクーポン要求手段６１３に送出する（ステップＣ７）。
【０１４２】
クーポン要求手段６１３は、入力装置６２０から受け取った情報（店舗ＩＤなど）をデータ通信手段６１１に送出する。データ通信手段６１１は、店舗ＩＤなどをネットワーク５００を介して交通機関サーバ８００のデータ通信手段８１１に送信する（ステップＣ８）。
【０１４３】
クーポン設定手段８１３は、データ通信手段８１１からＩＣカード固有ＩＤ，店舗ＩＤを受け取る。クーポン設定手段８１３は、店舗ＩＤを用いて店舗情報記憶部８２２を検索し、一致する店舗ＩＤに対応する「クーポン情報」欄からクーポン情報を読み出す。クーポン設定手段８１３は、クーポン設定結果（店舗でクーポンサービスが受けられる旨の結果メッセージ）と読み出したクーポン情報をデータ通信手段８１１に送出する（ステップＣ９）。
【０１４４】
データ通信手段８１１は、クーポン設定結果とクーポン情報（例えばクーポン券）をネットワーク５００を介してキオスク端末６００のデータ通信手段６１１に返信する（ステップＣ１０）。
【０１４５】
クーポン要求手段６１３は、データ通信手段６１１から受け取ったクーポン設定結果とクーポン情報を出力装置６３０に送出する。出力装置６３０は、クーポン設定結果とクーポン情報を出力する（ステップＣ１１）。この場合、出力装置６３０は、プリンタにクーポン券を印刷する。
【０１４６】
次に、本発明の第２の実施の形態の効果について説明する。
【０１４７】
第１の効果は、ユーザはクーポン券を店舗に持ち寄り提示することでサービスの割引を受けることができることである。
【０１４８】
その理由は、交通機関サーバ８００が、ユーザの行動範囲となる定期乗車券区間にある店舗の中で、ユーザが選択した店舗のクーポン券を、ユーザに付与するようにしたためである。
【０１４９】
更に、本発明の第３の実施の形態について説明する。第３の実施の形態は、乗車または下車時刻で頻度が高い時間帯にタイムセールを行う店舗情報をユーザに提供する形態である。
【０１５０】
先ず、本発明の第３の実施の形態の構成について、図面を参照して詳細に説明する。
【０１５１】
本発明の第３の実施の形態は、第１の実施の形態と同様に、ＩＣ(Integrated Circuit)カード１００と、キオスク端末２００と、店舗端末３００と、交通機関サーバ９００と、ネットワーク５００と、を備える。
【０１５２】
交通機関サーバ９００は、プログラム制御により動作する情報処理装置である。交通機関サーバ９００は、図２２に示すように、データ処理装置９１０と、記憶装置９２０と、を含む。
【０１５３】
データ処理装置９１０は、データ通信手段４１１と、店舗情報取得手段９１２と、ポイント設定手段４１３と、ポイント計算手段４１４と、乗車下車情報取得手段９１５と、頻度算出手段９１６と、を含む。
【０１５４】
店舗情報取得手段９１２は、データ通信手段４１１から受け取ったＩＣカード固有ＩＤを用いてユーザ情報記憶部９２１を検索し、高頻度乗車時間帯，高頻度乗車・下車駅を取得する。店舗情報取得手段９１２は、取得した高頻度乗車・下車駅の駅名で店舗情報記憶部９２２を検索し、取得した高頻度乗車・下車駅を最寄り駅とする店舗で高頻度乗車時間帯にタイムセールを行う店舗を抽出する。店舗情報取得手段９１２は、抽出した店舗ＩＤ，店舗名，店舗情報，サービスタイム時間等をデータ通信手段４１１に送出する。
【０１５５】
乗車下車情報取得手段９１５は、自動改札機（図示せず）や精算機（図示せず）などから乗車下車情報（ＩＣカード固有ＩＤ，駅名，時刻，乗車か下車かの区別など）を取得し、ユーザ乗車下車履歴としてユーザ情報記憶部９２１の「乗車・下車履歴」欄に格納する。
【０１５６】
頻度算出手段９１６は、ユーザ情報記憶部９２１の「乗車・下車履歴」欄に格納されているユーザ乗車下車履歴を参照して、高頻度乗車時間帯と高頻度乗車・下車駅とを算出する。より具体的には、頻度算出手段９１６は、ユーザ乗車下車履歴の時刻から高頻度の乗車時間帯を算出し、「高頻度乗車時間帯」欄に格納する。また、頻度算出手段９１６は、ユーザ乗車下車履歴の駅名から高頻度の乗車・下車駅を算出し、「高頻度乗車・下車駅」欄に格納する。
【０１５７】
記憶装置９２０は、磁気ディスク装置等であり、ユーザ情報記憶部９２１と、店舗情報記憶部９２２と、ポイント情報記憶部４２３と、を含む。ユーザ情報記憶部９２１，店舗情報記憶部９２２，ポイント情報記憶部４２３は、例えばデータベースである。
【０１５８】
ユーザ情報記憶部９２１は、ＩＣカード固有ＩＤ，定期乗車券区間などと共に，ユーザの乗車履歴（例えば、高頻度乗車時間帯，高頻度乗車・下車駅など）も記憶する。ユーザ情報記憶部９２１のデータ構造例を図２３に示す。
【０１５９】
店舗情報記憶部９２２は、店舗ＩＤ，最寄り駅，ポイント設定値，店舗情報，タイムセールを行うサービスタイム時間などを記憶する。店舗情報記憶部９２２のデータ構造例を図２４に示す。
【０１６０】
次に、本発明の第３の実施の形態の動作について説明する。
【０１６１】
図２５を参照して、動作の概略を説明する。
（３−１）キオスク端末２００は、ＩＣカード１００の情報（ＩＣカード固有ＩＤなど）を読み取る。
（３−２）キオスク端末２００は、交通機関サーバ９００にＩＣカード固有ＩＤを送信する。
（３−３）交通機関サーバ９００は、ＩＣカード固有ＩＤを基に定期乗車券区間内の店舗情報（乗車または下車時刻で頻度が高い時間帯にタイムセールを行う店舗の情報など）を検索する。
（３−４）交通機関サーバ９００は、キオスク端末２００に店舗情報を送信する。
（３−５）キオスク端末２００は、店舗情報を出力する。
（３−６）ユーザは、キオスク端末２００に対して出力された店舗情報の中から、詳しく知りたい店舗やポイント数を取得したい店舗を選択する。
（３−７）キオスク端末２００は、選択された店舗ＩＤを交通機関サーバ９００に送信する。
（３−８）交通機関サーバ９００は、ＩＣカード１００のユーザにポイント数を付与する。
（３−９）交通機関サーバ９００は、ポイント設定結果（店舗でポイントサービスが受けられる旨の結果メッセージ）とポイント数をキオスク端末２００に送信する。
（３−１０）キオスク端末２００は、交通機関サーバ９００から受信した情報を出力する。
（３−１１）店舗端末３００は、ＩＣカード１００の情報を読み取る。
（３−１２）店舗端末３００は、交通機関サーバ９００にＩＣカード固有ＩＤ，店舗名，ユーザの売り上げに応じたポイント数を送信する。
（３−１３）交通機関サーバ９００は、ＩＣカード固有ＩＤ，店舗名を基に、店舗がユーザの定期乗車券区間内に位置するかを確認する。
（３−１４）交通機関サーバ９００は、ＩＣカード１００のユーザに対して付与したポイント数にユーザの売り上げに応じたポイント数を加算し、店舗のポイント合計数を算出する。
（３−１５）交通機関サーバ９００は、店舗端末３００にポイント合計数を送信する。
（３−１６）店舗端末３００は、交通機関サーバ４００から受信した情報を出力する。
【０１６２】
次に、本発明の第３の実施の形態の効果について説明する。
【０１６３】
第１の効果は、ユーザが有用な店舗情報を取得できることである。
【０１６４】
その理由は、交通機関サーバ９００が乗車または下車時刻で頻度が高い時間帯にタイムセールを行う店舗情報を提供し、キオスク端末２００が出力するようにしたためである。
【０１６５】
上述した第３の実施の形態は、乗車または下車時刻で頻度が高い時間帯にタイムセールを行う店舗の情報をユーザに提供する機能を、第１の実施の形態の交通機関サーバ４００に対して適用したものであるが、第２の実施の形態の交通機関サーバ８００に対して適用してもよい。
【０１６６】
上述した本発明の各実施の形態におけるキオスク端末２００および６００並びに店舗端末３００並びに交通機関サーバ４００，８００および９００は、図２６に示す構成により実現されるものである。
【０１６７】
図２６を参照すると、キオスク端末２００および６００は、ＣＰＵ等により構成されたデータ処理装置９９１と、読み出し書き込み時間の短いメモリで構成された記憶装置９９２と、ハードディスク等の記憶容量の大きい記録媒体９９３と、データの入力を制御する入力装置９９４と、データの出力を制御する出力装置９９５と、ネットワーク５００を介して外部とのデータの送受信を制御する通信装置９９６と、を有して構成されている。
【０１６８】
この構成において、図３に示されるキオスク端末２００に関しては、記録媒体９９３にキオスク端末２００用のプログラムが格納されている。データ処理装置９９１が記録媒体９９３からキオスク端末２００用のプログラムを記憶装置９９２に読み込んで実行することにより、データ通信手段２１１，店舗情報要求手段２１２およびポイント要求手段２１３を実現する。
【０１６９】
また、図１６に示されるキオスク端末６００に関しても、同様である。
【０１７０】
更に、図２６を参照すると、店舗端末３００は、ＣＰＵ等により構成されたデータ処理装置９９１と、読み出し書き込み時間の短いメモリで構成された記憶装置９９２と、ハードディスク等の記憶容量の大きい記録媒体９９３と、データの入力を制御する入力装置９９４と、データの出力を制御する出力装置９９５と、ネットワーク５００を介して外部とのデータの送受信を制御する通信装置９９６と、を有して構成されている。
【０１７１】
この構成において、図４に示される店舗端末３００に関しては、記録媒体９９３に店舗端末３００用のプログラムが格納されている。データ処理装置９９１が記録媒体９９３から店舗端末３００用のプログラムを記憶装置９９２に読み込んで実行することにより、データ通信手段３１１およびポイント換算要求手段３１２を実現する。
【０１７２】
更に、図２６を参照すると、交通機関サーバ４００，８００および９００は、ＣＰＵ等により構成されたデータ処理装置９９１と、読み出し書き込み時間の短いメモリで構成された記憶装置９９２と、ハードディスク等の記憶容量の大きい記録媒体９９３と、データの入力を制御する入力装置９９４と、データの出力を制御する出力装置９９５と、ネットワーク５００を介して外部とのデータの送受信を制御する通信装置９９６と、を有して構成されている。
【０１７３】
この構成において、図５に示される交通機関サーバ４００に関しては、記録媒体９９３に交通機関サーバ４００用のプログラムが格納されている。データ処理装置９９１が記録媒体９９３から交通機関サーバ４００用のプログラムを記憶装置９９２に読み込んで実行することにより、データ通信手段４１１，店舗情報取得手段４１２，ポイント設定手段４１３およびポイント計算手段４１４を実現する。
【０１７４】
また、図１８に示される交通機関サーバ８００に関しても、同様である。
【０１７５】
また、図２２に示される交通機関サーバ９００に関しても、同様である。
【産業上の利用可能性】
【０１７６】
本発明は、交通機関による広告代行サービス、ポイント代行サービスといった用途に適用できる。
【図面の簡単な説明】
【０１７７】
【図１】本発明の第１の実施の形態における構成を示す図である。
【図２】ＩＣカード１００の構成を示すブロック図である。
【図３】キオスク端末２００の構成を示すブロック図である。
【図４】店舗端末３００の構成を示すブロック図である。
【図５】交通機関サーバ４００の構成を示すブロック図である。
【図６】ＩＣカード情報記憶部１１１を説明する図である。
【図７】店舗情報記憶部３５１を説明する図である。
【図８】ユーザ情報記憶部４２１を説明する図である。
【図９】店舗情報記憶部４２２を説明する図である。
【図１０】ポイント情報記憶部４２３を説明する図である。
【図１１】本発明の第１の実施の形態における動作の概略を説明する図である。
【図１２】本発明の第１の実施の形態における動作（その１）のフローを示す図である。
【図１３】本発明の第１の実施の形態における動作（その２）のフローを示す図である。
【図１４】本発明の第１の実施の形態における動作を説明する図である。
【図１５】本発明の第２の実施の形態における構成を示す図である。
【図１６】キオスク端末６００の構成を示すブロック図である。
【図１７】店舗端末７００の構成を示すブロック図である。
【図１８】交通機関サーバ８００の構成を示すブロック図である。
【図１９】店舗情報記憶部８２２を説明する図である。
【図２０】本発明の第２の実施の形態における動作の概略を説明する図である。
【図２１】本発明の第２の実施の形態における動作のフローを示す図である。
【図２２】交通機関サーバ９００の構成を示すブロック図である。
【図２３】ユーザ情報記憶部９２１を説明する図である。
【図２４】店舗情報記憶部９２２を説明する図である。
【図２５】本発明の第３の実施の形態における動作の概略を説明する図である。
【図２６】本発明の実施の形態におけるデータ処理装置および記録媒体の概略構成を示すブロック図である。
【符号の説明】
【０１７８】
１００    ＩＣカード
１１１    ＩＣカード情報記憶部
２００    キオスク端末
２１０    データ処理装置
２１１    データ通信手段
２１２    店舗情報要求手段
２１３    ポイント要求手段
２２０    入力装置
２３０    出力装置
２４０    ＩＣカード処理装置
３００    店舗端末
３１０    データ処理装置
３１１    データ通信手段
３１２    ポイント換算要求手段
３２０    入力装置
３３０    出力装置
３４０    ＩＣカード処理装置
３５０    記憶装置
３５１    店舗情報記憶部
４００    交通機関サーバ
４１０    データ処理装置
４１１    データ通信手段
４１２    店舗情報取得手段
４１３    ポイント設定手段
４１４    ポイント計算手段
４２０    記憶装置
４２１    ユーザ情報記憶部
４２２    店舗情報記憶部
４２３    ポイント情報記憶部
５００    ネットワーク
６００    キオスク端末
６１０    データ処理装置
６１１    データ通信手段
６１２    店舗情報要求手段
６１３    クーポン要求手段
６２０    入力装置
６３０    出力装置
６４０    ＩＣカード処理装置
７００    店舗端末
７１０    データ処理装置
７１１    データ通信手段
７２０    入力装置
７３０    出力装置
７５０    記憶装置
７５１    店舗情報記憶部
８００    交通機関サーバ
８１０    データ処理装置
８１１    データ通信手段
８１２    店舗情報取得手段
８１３    クーポン設定手段
８２０    記憶装置
８２２    店舗情報記憶部
９００    交通機関サーバ
９１０    データ処理装置
９１２    店舗情報取得手段
９１５    乗車下車情報取得手段
９１６    頻度算出手段
９２０    記憶装置
９２１    ユーザ情報記憶部
９２２    店舗情報記憶部
９９１    データ処理装置
９９２    記憶装置
９９３    記録媒体
９９４    入力装置
９９５    出力装置
９９６    通信装置
【図１】
2009003688.tif 000003
【図２】
2009003688.tif 000004
【図３】
2009003688.tif 000005
【図４】
2009003688.tif 000006
【図５】
2009003688.tif 000007
【図６】
2009003688.tif 000008
【図７】
2009003688.tif 000009
【図８】
2009003688.tif 000010
【図９】
2009003688.tif 000011
【図１０】
2009003688.tif 000012
【図１１】
2009003688.tif 000013
【図１２】
2009003688.tif 000014
【図１３】
2009003688.tif 000015
【図１４】
2009003688.tif 000016
【図１５】
2009003688.tif 000017
【図１６】
2009003688.tif 000018
【図１７】
2009003688.tif 000019
【図１８】
2009003688.tif 000020
【図１９】
2009003688.tif 000021
【図２０】
2009003688.tif 000022
【図２１】
2009003688.tif 000023
【図２２】
2009003688.tif 000024
【図２３】
2009003688.tif 000025
【図２４】
2009003688.tif 000026
【図２５】
2009003688.tif 000027
【図２６】
2009003688.tif 000028